(57)【要約】      （修正有）【課題】籾殻をビニール袋に詰める作業において、腰痛の要因を無くし、粉塵・煤塵の発生を抑える事によって、肺機能障害等の怖れや、直接に籾殻に触れる事による皮膚の炎症の怖れを無くし、且つ、時間的に効率的で迅速な作業とする。【解決手段】可搬型肩掛け式搬送機は、肩掛け紐１、吸込みノズル２、機器本体７、ブザー、ギア付可変速モーター、ウズ流発生ユニット、蛇腹式排出ホースユニット９、計量感知センサー１１及びビニール袋収納用スタンド１２を含み、ビニール袋１３に予め設定された量の籾殻が蓄積されると計量感知センサー１１が働き、ブザーを作動させてビニール袋１３内の籾殻が設定量に達した事を作業者に知らせる。【選択図】図１
2014111500.tif 000002
【特許請求の範囲】
【請求項１】
可搬型肩掛け式搬送機の肩掛け紐（符号１）、ビニール袋用スタンド（符号１２）、ビニール袋（符号１３）、ビニール袋留め具（符号１０）は既に類似品が市販されており、これらを除く吸込みノズル（符号２）からウズ流発生器と連結する円筒（符号２１）までの軽量物体及び粉体の可搬型肩掛け式搬送機とする。
【発明の詳細な説明】
【技術分野】
【０００１】本発明は、農業分野で主に籾殻等の軽量な物体もしくは粉体を搬送し、袋詰めをする可搬型肩掛け式搬送機に関する。
【背景技術】
【０００２】稲を収穫後、農業協同組合等に供出する以外の籾は、自家消費米等として各農家で玄米に加工するが、その際に多量の籾殻が発生する。
籾殻は専用の小屋か一時的に設けた仮設小屋に排出し、集積・蓄積される。【０００３】各農家では、籾殻は最終的にはビニール袋に詰めて、肥料等、他の農業材として転用される。【０００４】籾殻の集積・蓄積場所は、粉塵・煤塵の飛散を防ぐ為にほとんどが密閉された小屋で作業が行われる。【０００５】集積・蓄積された籾殻はスコップや中型のチリトリ（ミ）を使って、手作業でビニール袋に詰めるのだが、作業は過酷である。【０００６】何故なら、密閉された小屋で、腰をかがめて籾殻をすくい、立ち上がってビニール袋に詰める作業であり、高齢化しておる農家にとって腰痛の大きな要因となっており、密閉された小屋内で飛散する粉塵・煤塵を吸い込む事による肺機能等の障害の怖れや、籾殻のイガイガで皮膚に炎症を引き起こす人もいる。
【先行技術文献】
【特許文献】
【発明の概要】
【発明が解決しようとする課題】
【０００７】前述の通り過酷な農作業の現実を回避し、少しでも楽な作業を提供するためのものである。
【課題を解決するための手段】
【０００８】本発明は、かかる事情を鑑みて為されたものである。
【発明の効果】
【０００９】本発明のその目的とするところは、作業において、立ったままでの状態での作業が可能な事により腰痛の原因を防ぎ、粉塵・煤塵の飛散を防ぐ事により肺機能障害等への不安を取り除き、且つ、又、籾殻に直接触れないため皮膚を炎症させる事無く、時間的な作業効率の良さを特徴とする。
【図面の簡単な説明】
【００１０】
【図１】本発明に係る全体構成を示す摸式図である。
【図２】本発明に係る内部の構造を示す摸式図である。
【図３】本発明に係る図２の内部に組み込まれたウズ流発生器と同器を回転させる為の機器示す摸式図である。
【図４】本発明に係るウズ流発生ユニットの構成を示す摸式図である。
【図５】本発明に係る本体内部の構造を示す摸式図である。
【図６】本発明に係るウズ流発生器とギア付可変速モーターを連結し、回転させるベルトとの構成を示す断面の摸式図である。
【発明を実施するための形態】
【００１１】以下、本発明の実施の形態を図１〜図６に基づいて説明する。
【００１２】図１は、本発明に係る全体を示す構成図であり、
図２〜図６は、内部の構成を示す摸式図である。
【００１３】本発明は、可搬型肩掛け式搬送機の肩掛け紐（符号１），吸込みノズル（符号２），ノズルの伸縮を自在にする留め具（符号３），電源コード及びプラグ（符号４）、電源スイッチ（符号５），可変速モーター速度調整スイッチ（符号６），機器本体（符号７）、外部機器カバー（符号８），ブザー（符号１４），ギア付可変速モーター（符号１５），ウズ流発生ユニット（符号１８），蛇腹式排出ホースユニット（符号９），計量感知センサー（符号１１），ビニール袋収納用スタンド（符号１２），ビニール袋（符号１３），ビニール袋留め具（符号１０），機器本体内部に組み込んだウズ流回転器保護器（符号１６）、同取り外しカバー（符号１７），ウズ流発生器回転ベルト（符号１９），回転を円滑にする為のベアリング（符号２０），吸込みノズルを覆ってウズ流発生器と連結された円筒（符号２１）から構成される。
【発明を実施するための形態及び実施例】
【００１４】ビニール袋用スタンド（符号１２）を立て、その内側にビニール袋（符号１３）装着し、ビニール袋用スタンドの一方に蛇腹式排出ホースユニット（符号９）の後部に設置した留め具と反対側はビニール袋留め具（符号１０）でビニール袋をビニール袋用スタンドに固定し、計量計測センサー（符号１１）を任意の位置に設定する。
【００１５】図１の電源コードのプラグ（符号４）をコンセントに投入した後、可搬型肩掛け式搬送機の肩掛け紐（符号１），を肩から掛け、吸込みノズルの伸縮を自在にする留め具（符号３）で吸込みノズル（符号２）の長さを身長や籾殻を吸引する場所に合わせて調整した後に電源スイッチ（符号５）を入れ、ウズ流発生ユニット（符号１８）の稼働を確認した後に吸込みノズルの先端を籾殻や粉体の山に向ける事によって、吸込みノズルの先端から籾殻や粉体を吸引し、蛇腹式排出ホースを介してビニール袋に籾殻を搬送し、集積・蓄積し、収納させる。
可変速モーター速度調整スイッチ（符号６）にてモーターの回転数を切り換え、ウズ流の発生量を任意に調整し籾殻の吸込み量を調整する。
【００１６】本発明に係るウズ流発生ユニットは図３の機器本体内部に組み込んだウズ流回転器保護器（符号１６）、同取り外しカバー（符号１７），外周に回転用歯車が付き、内側にウズ流を発生させるための複数のファンを設けたウズ流発生器（符号１８），後部カバー（符号１８），同発生器を円滑に回転させるベアリング（符号１９），歯車と歯車を連結し回転させるベルト（符号１９），吸込みノズル（符号２）覆ってウズ流発生器と連結した円筒（符号２１）から構成されている。
【００１７】籾殻は図３のウズ流発生ユニットが発生させる送風力によって吸引され、排出用蛇腹ホースユニット（符号８）を介してビニール袋（符号１３）に搬送されて集積・蓄積され、予め設定された量の籾殻が蓄積されると計量感知センサー（符号１０）が働き、ブザー（符号１４）を作動させ、ビニール袋内の籾殻が設定量に達した事を作業者に知らせる。
【００１８】作業者は電源スイッチ（符号５）をＯＦＦにし、ビニール袋用スタンド（符号１２）から蛇腹式排出ホースユニット（符号８）の後部の留め具と反対側にあるビニール袋留め具（符号１０）を取り外し、籾殼の入ったビニール袋を外し、新しいビニール袋にと交換する。
【００１９】新しいビニール袋に交換後、再び電源をＯＮにし、作業を再開する。
【００２０】この一連の作業をワンサイクルとし、小屋に集積・堆積している籾殻が無くなるまで作業を繰り返す。
【符号の説明】
【００２１】  １  搬送機の肩掛け紐
２  吸込みノズル
３  ノズルの伸縮を自在にする留め金具
４  電源コード及びプラグ
５  電源スイッチ
６  可変速モーター速度調整スイッチ
７  本体外部
８  本体外部取り外しカバー
９  蛇腹式排出ホースユニット
１０  ビニール袋留め具
１１  計量感知センサー
１２  ビニール袋収納用スタンド
１３  籾殻及び粉体収納用ビニール袋
１４  計量感知ブザー
１５  可変速モーター及び回転用歯車
１６  本体内部設置した保護器
１７  本体内部設置した保護器の取り外しカバー
１８  歯車付送風用ウズ流発生器
１９  歯車どうしを連結する回転ベルト
２０  回転用ベアリング
２１  ノズルを覆ってウズ流発生機と連結する円筒
【図１】
2014111500.tif 000003
【図２】
2014111500.tif 000004
【図３】
2014111500.tif 000005
【図４】
2014111500.tif 000006
【図５】
2014111500.tif 000007
【図６】
2014111500.tif 000008